(57)【特許請求の範囲】
【請求項１】
吸引した塵埃を含む空気を旋回させて集塵するサイクロン集塵器を備えた電気掃除機において、前記サイクロン集塵器内面に照射する紫外線または可視光線を発生させる発光手段を設け、前記サイクロン集塵器の前記発光手段と対向する部分に紫外線または可視光線を通す光透過部を形成し、前記光透過部は、抗菌剤が塗布されている、または抗菌剤を練り込んだ樹脂で形成され、前記サイクロン集塵器の前記光透過部を除いた部分は光触媒を塗布したことを特徴とする電気掃除機。
【請求項２】
吸引した塵埃を含む空気を旋回させて集塵するサイクロン集塵器を備えた電気掃除機において、前記サイクロン集塵器内面に照射する紫外線または可視光線を発生させる発光手段を設け、前記サイクロン集塵器の前記発光手段と対向する部分には紫外線または可視光線を通す光透過部を形成し、前記光透過部は、抗菌剤が塗布されている、または抗菌剤を練り込んだ樹脂で形成され、前記光透過部を除いた部分は光触媒が練り込まれた樹脂で形成されていることを特徴とする電気掃除機。
【請求項３】
吸引した空気と塵埃とを旋回させて集塵するサイクロン集塵器を備えた電気掃除機において、前記サイクロン集塵器内面に紫外線または可視光線を照射する発光手段を設け、前記サイクロン集塵器の前記発光手段と対向する部分に紫外線または可視光線を通す光透過部を形成し、前記光透過部は、抗菌剤が塗布されている、または抗菌剤を練り込んだ樹脂で形成され、前記光透過部を除いた部分は光触媒が練り込まれた樹脂で形成されるとともに、前記サイクロン集塵器の前記光透過部を除いた部分には光触媒が塗布されていることを特徴とする電気掃除機。
【請求項４】
前記光触媒には、抗菌剤が含有されていることを特徴とする請求項１〜３のいずれかに記載の電気掃除機。
【請求項５】
前記発光手段は紫外線を発光し、前記光触媒を紫外線応答型触媒としたことを特徴とする請求項１〜３のいずれかに記載の電気掃除機。
【請求項６】
前記発光手段は可視光線を発光し、前記光触媒を可視光線応答型触媒としたことを特徴とする請求項１〜３のいずれかに記載の電気掃除機。
【請求項７】
前記サイクロン集塵器は、掃除機本体に対して着脱可能に設けられ、前記サイクロン集塵器の有無を検出する検出手段を備え、前記サイクロン集塵器が装着されていない場合は、前記発光手段を消灯させるように制御することを特徴とする請求項１〜３のいずれかに記載の電気掃除機。
【請求項８】
前記サイクロン集塵器は、掃除機本体に対して着脱可能に設けられるとともに、前記掃除機本体に対して断熱材または間隙を介して装着されることを特徴とする請求項１〜３のいずれかに記載の電気掃除機。
【請求項９】
前記光透過部の発光手段側をレンズ形状に湾曲させて形成したことを特徴とする請求項１〜３のいずれかに記載の電気掃除機。
【発明の詳細な説明】
【０００１】
【発明の属する技術分野】
本発明は、サイクロン集塵器を備えた電気掃除機に関するものである。
【０００２】
【従来の技術】
従来から塵埃と空気を含む混合気を旋回させて遠心力により質量のある塵埃と空気を分離し、集塵するサイクロン集塵器を備えた電気掃除機が提案されている。例えば、図１４は特開２０００−１５７４６３号公報に記載された従来のサイクロン集塵装置を示す縦断面図である。この従来技術は、円筒形状のサイクロンボディ９０に対し接線方向に設けた吸入口９１から塵埃と空気を吸引することにより、サイクロンボディ９０内に旋回流が発生する。この旋回流により、質量を持った塵埃は遠心力を受けサイクロンボディ９０の側面９２に押し出される。サイクロンボディ９０の側面９２まで移動した塵埃は、重力によりサイクロンボディ９０の下部９３に回転しながら落下する。サイクロンボディ９０の下部９３の側面９２には集塵箱９４につながる汚染物排出口９５が設置してあり、塵埃は重力と遠心力により汚染物排出口９５を通過し、サイクロンボディ９０に対して着脱可能に設けられた集塵箱９４に停滞するというものである。また、特開２００１−２９２８８号公報には、旋回室と集塵室を有するサイクロン集塵器を吸込口体と接続する接続パイプと平行に配置し、さらに接続パイプの一部を屈曲して使用者が清掃時に把持するハンドル部を形成したサイクロン集塵器を備えた電気掃除機が記載されている。
【０００３】
しかしながら、集塵室の塵埃を掃除の度に除去することは少なく、塵埃を残した状態で放置されるため、細菌が繁殖したり、悪臭が発生してしまう場合があるが、従来の電気掃除機ではこの課題への配慮がなされていなかった。このような課題を解決するために、例えば特開２００１−３７０号公報に記載された電気掃除機が提案されているので、次に説明する。
【０００４】
図１５は特開２００１−３７０号公報に記載されている従来の設置型電気掃除機を示す断面図、図１６は同設置型電気掃除機の斜視図である。図１５、図１６に示すように、設置型掃除機本体１００は電動送風機１０１を内蔵した吸引装置１０２と集塵袋１０３を有した集塵室１０４を配している。そして集塵室１０４には家屋内で配管された配管パイプ（図示せず）と連結される接続ホース１０５を接続し、吸引装置１０２には排気を排出する排気口１０６を取り付けている。また、電動送風機１０１は取付金具１０７で吸引装置１０２内に取付固定される。またプリント基板１０８と基板カバー１０９を基板金具１１０に取り付けて吸引装置１０２内に設けている。そして、集塵室１０４の内壁面には光触媒処理を施し、集塵室１０４内壁の一部には集塵室１０４内に紫外線光を照射させる紫外線ランプ１１１を設けている。また、集塵室１０４は扉１１２を有している。
【０００５】
上記構成により、光触媒処理が施された面、すなわち集塵室１０４内に紫外線ランプ１１１より照射される紫外線光により光触媒が活性化されて光触媒との接触反応で菌などの微生物を殺傷する。また汚れなども剥離しやすい酸化生成物として付着させるので、布などによる水拭きや乾拭きなどで容易に清掃できメンテナンス性の向上にもつながるものである。
【０００６】
また、集塵室１０４には集塵袋１０３を有し、集塵室１０４内の壁面または集塵袋１０３に光触媒処理を施すことにより、紫外線照射による光触媒との接触反応により集塵袋１０３自体も菌などの殺傷を働きかけさらに防汚効果が得られるものである。
【０００７】
【発明が解決しようとする課題】
しかしながら、特開２００１−３７０号公報に記載されている従来の電気掃除機では紫外線ランプが集塵室内壁に設けられているため、集塵室内に漏れた塵埃、または集塵袋を通過してしまうような微細な塵埃によって紫外線ランプが汚れてしまう場合があり、紫外線ランプの照射効果が低減してしまうという課題があった。また、紫外線ランプの点灯制御がタイマー制御であるため、紫外線ランプが点灯した状態で集塵室の扉を開けてしまい、紫外線を直視してしまう恐れがあるという課題があった。
【０００８】
本発明は、上記のような課題を解決するためになされたもので、光透過部の汚れを防止するとともに、清掃を容易にし、かつ光触媒による抗菌効果や脱臭効果を得る電気掃除機を提供することを第１の目的とするものである。また、発光手段の照射制御を向上させて使い勝手のよい電気掃除機を提供することを第２の目的とするものである。
【０００９】
【課題を解決するための手段】
本発明に係わる電気掃除機は、サイクロン集塵器内面に照射する紫外線または可視光線を発生させる発光手段を設け、前記サイクロン集塵器の前記発光手段と対向する部分に紫外線または可視光線を通す光透過部を形成し、前記光透過部は、抗菌剤が塗布されている、または抗菌剤を練り込んだ樹脂で形成され、前記サイクロン集塵器の前記光透過部を除いた部分は光触媒を塗布したものである。
【００１０】
また、サイクロン集塵器内面に照射する紫外線または可視光線を発生させる発光手段を設け、前記サイクロン集塵器の前記発光手段と対向する部分には紫外線または可視光線を通す光透過部を形成し、前記光透過部は、抗菌剤が塗布されている、または抗菌剤を練り込んだ樹脂で形成され、前記光透過部を除いた部分は光触媒が練り込まれた樹脂で形成されているものである。
【００１１】
また、サイクロン集塵器内面に紫外線または可視光線を照射する発光手段を設け、前記サイクロン集塵器の前記発光手段と対向する部分に紫外線または可視光線を通す光透過部を形成し、前記光透過部は、抗菌剤が塗布されている、または抗菌剤を練り込んだ樹脂で形成され、前記光透過部を除いた部分は光触媒が練り込まれた樹脂で形成されるとともに、前記サイクロン集塵器の前記光透過部を除いた部分には光触媒が塗布されているものである。
【００１２】
また、光触媒には、抗菌剤が含有されているものである。
【００１３】
また、発光手段は紫外線を発光し、前記光触媒を紫外線応答型触媒としたものである。
【００１４】
また、発光手段は可視光線を発光し、前記光触媒を可視光線応答型触媒としたものである。
【００１５】
また、サイクロン集塵器は、掃除機本体に対して着脱可能に設けられ、前記ダイクロン集塵器の有無を検出する検出手段を備え、前記サイクロン集塵器が装着されていない場合は、前記発光手段を消灯させるように制御するものである。
【００１６】
また、サイクロン集塵器は、掃除機本体に対して着脱可能に設けられるとともに、前記掃除機本体に対して断熱材または間隙を介して装着されるものである。
【００１７】
また、光透過部の発光手段側をレンズ形状に湾曲させて形成したものである。
また、光透過部は、抗菌剤が塗布されている、または抗菌剤を練り込んだ樹脂で形成されているものである。
【００１８】
実施の形態１．
図１は本発明の実施の形態１に係わるサイクロン集塵器をキャニスター型電気掃除機に搭載した形態を示す全体斜視図、図２は同電気掃除機の掃除機本体を示す側面図、図３は同電気掃除機に搭載したサイクロン集塵器を示す斜視図、図４は同電気掃除機の掃除機本体を示す断面図であり、サイクロン集塵器の集塵室が装着されている状態を示している。図５は同電気掃除機の掃除機本体を示す断面図であり、サイクロン集塵器の集塵室が装着されていない状態を示している。
【００１９】
図において、１は掃除機本体、２は掃除機本体１上に搭載されたサイクロン集塵器である。３は掃除機本体１に接続されたホース、４はホース３の端部に接続されたパイプであり、他端部には吸込具５が接続されている。実施の形態１に示すサイクロン集塵器２は、図３に示すように、略円筒形の中心軸を水平方向に配置してなるサイクロン旋回室６とサイクロン旋回室６の湾曲面（円筒の側周面）に設けられた集塵室７とを有している。そして、サイクロン集塵器２は集塵室７をサイクロン旋回室６に対して着脱可能に装着している。
【００２０】
また、８はサイクロン旋回室６の排気口９に設けられた円筒状のフィルタ、１０は塵埃を含む空気をサイクロン旋回室６内へ導くサイクロン吸込口、１１はサイクロン旋回室６の湾曲面に開口して集塵室７に連通する塵埃排出口である。
【００２１】
図４、図５において、１２は掃除機本体１に内蔵され、空気を吸引する電動送風機、１３は掃除機本体１後方に設けられ電動送風機１２からの排気を掃除機本体１外に排出する本体排気口、１４はサイクロン旋回室６の排気口９に接続されサイクロン集塵器２からの排気を電動送風機１２へ導く排気接続管、１５は排気接続管１４に内装された微細な塵埃を集塵するフィルタである。また、１６は掃除機本体１の前方に設けられ、一端がホース３と接続され他端がサイクロン旋回室６のサイクロン吸込口１０と接続された吸気接続管である。また、１ａは掃除機本体１上部に形成された凹部であり、サイクロン集塵器２は凹部１ａに収納される。
【００２２】
ホース３から移送された塵埃を含んだ空気は吸気接続管１６を通ってサイクロン吸込口１０からサイクロン旋回室６に流入し、塵埃と空気とに分離される。そして、塵埃は塵埃排出口１１から集塵室７に集塵され、空気は排気口９から排気接続管１４を通りフィルタ１５を介して、電動送風機１２内に吸引されて本体排気口１３から排気される。
【００２３】
１７は掃除機本体１上部に形成された凹部１ａの一部を形成する集塵室設置部、１８は集塵室設置部１７に設けられた断熱材であり、集塵室６と集塵室設置部１７との間を断熱する。１９は掃除機本体１内の凹部１ａよりも後方に設けられた例えば紫外線を発生する発光手段を示す紫色発光ダイオード、２０は凹部１ａの紫色発光ダイオード１９と対向する部分に設けられた光透過部を示す本体光源窓である。２１は集塵室設置部１７に設けられたサイクロン集塵器２の集塵室７の有無を検出する検出スイッチであり、上下に摺動する検出部２１ａを有し、図５に示すとおり、集塵室７が無い場合は、凹部１ａ内に突出するように付勢されている。紫色発光ダイオード１９の点灯・消灯は検出スイッチ２１と連動している。
【００２４】
また、図４において、２２はサイクロン集塵器２の特に集塵室７内面に塗布された光触媒塗料であり、例えば紫外線に応答する紫外線応答型光触媒塗料に抗菌剤が添加されたものを用いている。サイクロン集塵器２のサイクロン旋回室６に光触媒塗料を塗布してもよい。紫色発光ダイオード１９が発する光は、集塵室７の内面に塗布された光触媒塗料２２の光触媒作用を作用させることができる波長と光量を有している。２３は集塵室７に設けられた光透過部であり、光触媒塗料２２は塗布されず、集塵室７を掃除機本体１に装着したとき、本体光源窓２０と対向する位置に配置されるように設けられている。
【００２５】
なお、２４、２５は掃除機本体１に設けられた走行用の車輪である。
【００２６】
次に、紫色発光ダイオード１９の動作について説明する。
紫色発光ダイオード１９は、掃除機本体１が通電されているときは外部電源を電源とし、非通電時は内蔵充電地（図示せず）を電源とする。そして、検出スイッチ２１の検出部２１ａは、集塵室７が無い場合は図５に示すように凹部１ａへ突出しているため、この状態では電源回路はＯＦＦになり、紫色発光ダイオード１９へ電源は供給されず、消灯している。一方、集塵室７が載置されている場合、検出スイッチ２１の検出部２１ａは、図４に示すように集塵室７底面より押し込まれるため、電源回路はＯＮとなり、紫色発光ダイオード１９へ電源を供給し、点灯する。本体光源窓２０、光透過部２３は光源である紫色発光ダイオード２０の光に含まれる紫外線成分の多くを透過させるので、紫色発光ダイオード１９の点灯により、集塵室７内を照射する。なお、本体光源窓２０は掃除機本体１凹部１ａと密接に接合し、シールされているので、接合部分から排気が漏れてしまうことはない。また光透過部２３も集塵室７と密接に接合し、シールされているので、塵埃が漏れてしまうことはない。
【００２７】
なお、集塵室７は、例えば紫外線に応答する光触媒のもつ抗菌作用、臭気成分の分解、超親水作用を引き出すことができる程度の可視光線または紫外線透過度を持つ樹脂で形成してもよい。また、樹脂にはさらに光触媒を練り込んだ樹脂で形成してもよい。この場合、光透過部２３は光触媒塗料２２を塗布しない集塵室の一部を使用してもよい。
【００２８】
また、光透過部２３には抗菌剤を塗布してもよい。または抗菌剤を練り込んだ樹脂で光透過部２３を形成してもよい。
【００２９】
上記のように実施の形態１によれば、紫色発光ダイオード１９の光による集塵室７の内面に塗布された抗菌剤添加の光触媒塗料２２の光触媒作用により、集塵室７内面の抗菌、脱臭、超親水による洗浄性能が向上するという効果が得られる。
【００３０】
また、集塵室７を可視光線または紫外線が透過する材料で形成すれば室内の光によっても集塵室７内面の抗菌、脱臭が向上する効果が得られる。
【００３１】
また、集塵室７が着脱可能に設けられているので、集塵室７を取り外して水洗いすることができ、集塵室７全体、または光透過部２３を容易に、かつきれいに汚れを落すことができ、光触媒作用の低下を抑制することができる。
【００３２】
また、集塵室７を抗菌剤を練り込んだ樹脂で形成すれば、集塵室７内面に塗布した光触媒塗料２２が摩耗したり、剥がれてしまった場合等でも、抗菌作用が得られる。
【００３３】
また、光触媒塗料２２に添加された抗菌剤により、光が当たらず光触媒の作用が得られない状態においても、集塵室７内面の抗菌効果が得られる。
【００３４】
また、集塵室７を外した場合は検出スイッチ２１によって紫色発光ダイオード１９は消灯するため、紫外線などが放射されず、周囲の人間の安全が確保されるとともに電力の消費が低減される。
【００３５】
また、光透過部２３に抗菌剤を設ければ、抗菌作用が向上する。
【００３６】
また、集塵室６と凹部１ａとの間に断熱材１８を設けたので、例えば集塵室６が電動送風機１２の熱により温められて臭気を発生してしまうことを防止することができる。
【００３７】
なお、実施の形態１では、光触媒に抗菌剤を含有させて用いたが、光触媒だけでもよい。
【００３８】
なお、実施の形態１では、発光手段に紫外線を発生させる紫色発光ダイオードを用い、光触媒として紫外線応答型光触媒を用いたが、これに限ったものではなく、可視光線を発光させる発光手段を用い、光触媒として可視光線応答型光触媒を用いてもよいし、紫外線及び可視光線を発光させる発光手段を用い、光触媒として紫外線及び可視光線応答型光触媒を用いてもよい。
【００３９】
また、サイクロン集塵器の集塵室の有無を検出する検出手段を、可動スイッチによる接触を伴う機械的な検出手段を用いたが、これに限るものではなく、例えば赤外線センサ等の光センサや磁気、音波等を用いる非接触型の検出手段を用いてもよい。
【００４０】
さらに、紫外線応答型光触媒としては、例えばアナターゼ型、ルチル型、ブルカイト型の結晶特性のものを用いてもよい。また可視光線応答型光触媒としては、酸素欠陥型のアナターゼ型酸化チタンやＴｉＯ２-ＸＮｘの化学式で示されるものを用いてもよい。
【００４１】
実施の形態２．
図６は本発明の実施の形態２に係るサイクロン集塵器を搭載したキャニスター型電気掃除機の掃除機本体を示す上面図、図７は同電気掃除機の掃除機本体を示す側面図、図８は同電気掃除機に搭載したサイクロン集塵器を示す斜視図、図９は同電気掃除機の掃除機本体を示す横断面図、図１０は同電気掃除機の掃除機本体を示す縦断面図であり、サイクロン集塵器が装着されている状態を示している。図１１は同電気掃除機の掃除機本体を示す縦断面図であり、サイクロン集塵器が装着されていない状態を示している。図１２は同電気掃除機に搭載したサイクロン集塵器の光透過部を示す断面図である。
【００４２】
図において、３１は掃除機本体、３２は掃除機本体３１に搭載されたサイクロン集塵器、３３はサイクロン集塵器３２と連通するホースであり、先端に吸込具が接続されたパイプが接続されている。３４、３５は掃除機本体３１に設けられた走行用の車輪である。実施の形態２に示すサイクロン集塵器３２は、図８に示すように、旋回室と集塵室が一体化しており、サイクロン吸排気部３２ａとサイクロン集塵部３２ｂにより形成されている。そして、サイクロン吸排気部３２ａには、サイクロン吸気口３６とサイクロン排気口３７が形成されている。なお、図８中、矢印は吸気と排気の様子を示したものである。
【００４３】
図９、図１０、図１１において、３８は掃除機本体３１に内蔵され、空気を吸引する電動送風機、３９は掃除機本体３１後方に設けられ電動送風機３８からの排気を掃除機本体３１外に排出する本体排気口、４０はサイクロン集塵器３２のサイクロン排気口３７に接続され、サイクロン集塵器３２からの排気を電動送風機３８へ導く排気接続管、４１は排気接続管４０に内装された微細な塵埃を集塵するフィルタである。また、４２は掃除機本体３１の前方に設けられ、一端がホース３３と接続され他端がサイクロン集塵器３２のサイクロン吸込口３６と接続された吸気接続管である。また、４３は掃除機本体３１前方に形成された凹部であり、サイクロン集塵器３２が収納される。そして、サイクロン集塵器３２は掃除機本体１に装着されるとき、間隙４３ａを介して配置される。
【００４４】
ホース３３から移送された塵埃を含んだ空気は吸気接続管４２を通ってサイクロン吸込口３６からサイクロン集塵器３２のサイクロン吸排気部３２ａに流入し、塵埃と空気とに分離される。そして、塵埃はサイクロン集塵部３２ｂの底部に集積され、空気はサイクロン排気口３７から排気接続管４０を通りフィルタ４１を介して、電動送風機３８内に吸引されて本体排気口３９から排気される。
【００４５】
４４は掃除機本体３１の凹部４３に設けられた、例えば紫外線を発生する発光手段を示す紫色発光ダイオードであり、図９に示すように例えば２箇所に設けられている。４５は凹部４３の底部に設けられたサイクロン集塵器３２の有無を検出する検出スイッチであり、上下に摺動する検出部４５ａを有し、図１１に示すとおり、サイクロン集塵器３２が無い場合は、凹部４３内に突出するように付勢されている。紫色発光ダイオード４４の点灯・消灯は検出スイッチ４５と連動している。また、図１０において、４６はサイクロン集塵器３２内面に塗布された光触媒塗料であり、例えば紫外線に応答する紫外線応答型光触媒塗料に抗菌剤が添加されたものを用いている。紫色発光ダイオード４４が発する光は、サイクロン集塵器３２の内面に塗布された光触媒塗料４６の光触媒作用を作用させることができる波長と光量を有している。また、４７はサイクロン集塵器３２のサイクロン集塵部３２ｂに設けられた光透過部であり、光触媒塗料４６は塗布されず、サイクロン集塵器３２を掃除機本体３１に装着したとき、紫色発光ダイオード４４と対向する位置に配置されるように設けられている。また、光透過部４７はサイクロン集塵部３２ｂと密接に接合されており、接合部から排気が漏れることはない。なお、４８は紫色発光ダイオード４４と掃除機本体３１の凹部４３との隙間に充填されたシール材であり、排気が隙間から漏れることを防止する。
【００４６】
次に、紫色発光ダイオード４４の動作について説明する。
紫色発光ダイオード４４は、掃除機本体３１が通電されているときは外部電源を電源とし、非通電時は内蔵充電地（図示せず）を電源とする。そして、検出スイッチ４５の検出部４５ａは、サイクロン集塵器３２が無い場合は図１１に示すように凹部４３へ突出しているため、この状態では電源回路はＯＦＦになり、紫色発光ダイオード４４へは給電されず、紫色発光ダイオード４４は消灯している。一方、サイクロン集塵器３２が載置されている場合、検出スイッチ４５の検出部４５ａは、図１０に示すようにサイクロン集塵器３２底面より押し込まれため、電源回路はＯＮとなり、紫色発光ダイオード４４へ給電されて点灯する。サイクロン集塵器３２のサイクロン集塵部３２ｂに設けられた光透過部４７は光源である紫色発光ダイオード４４の光に含まれる可視光・紫外線成分の多くを透過させるので、紫色発光ダイオード４４の点灯により、サイクロン集塵器３２内を照射する。
【００４７】
なお、サイクロン集塵器３２の少なくとも光透過部４７を除いた部分は、光触媒を練り込んだ樹脂で形成してもよい。また、サイクロン集塵器３２は可視光線または紫外線を十分透過する樹脂で形成してもよい。また、樹脂にはさらに抗菌剤を練り込んでもよい。
【００４８】
また、光透過部４７には抗菌剤を塗布してもよい。または抗菌剤を練り込んだ樹脂で光透過部４７を形成してもよい。
【００４９】
上記のように実施の形態２によれば、紫色発光ダイオード４４の光によるサイクロン集塵器３２内面に塗布された抗菌剤添加の光触媒塗料４６の光触媒作用により、サイクロン集塵器３２内面の抗菌、脱臭、超親水による洗浄性能が向上するという効果が得られる。
【００５０】
また、サイクロン集塵器３２を可視光線や紫外線が透過する材料で形成すれば室内の光が到達する部分ではサイクロン集塵器３２内面の抗菌、脱臭効果が向上する効果が得られる。
【００５１】
また、サイクロン集塵器３２が着脱可能に設けられているので、取り外して水洗いすることができ、サイクロン集塵器３２全体、または光透過部４７を容易に、かつきれいに汚れを落すことができ、光触媒作用の低下を抑制することができる。
【００５２】
また、サイクロン集塵器３２を光触媒を練り込んだ樹脂で形成すれば、内面に塗布した光触媒塗料４６が摩耗したり、剥がれてしまった場合等でも、抗菌作用、脱臭作用、超親水作用効果が得られる。また、サイクロン集塵器３２を抗菌剤を練り込んだ樹脂で形成すれば、サイクロン集塵器３２内面に塗布した光触媒塗料４６が摩耗したり、剥がれてしまった場合等でも、抗菌作用が得られる。
【００５３】
また、光触媒塗料４６に添加された抗菌剤により、光が当たらず光触媒の作用が得られない状態においても、サイクロン集塵器３２内面の抗菌効果が得られる。
【００５４】
また、サイクロン集塵器３２を外した場合は検出スイッチ４５によって紫色発光ダイオード４４は消灯するため、紫外線などが放射されず、周囲の人間の安全が確保されるとともに電力の消費が低減される。
【００５５】
また、光透過部４７に抗菌剤を設ければ、抗菌作用が向上する。
【００５６】
また、サイクロン集塵器３２は、隙間４３ａを介して凹部４３に装着されるので、例えばサイクロン集塵器３２が電動送風機３８の熱により温められて臭気を発生してしまうことを防止することができる。
【００５７】
なお、実施の形態２では、光触媒に抗菌剤を含有させて用いたが、光触媒だけでもよい。
【００５８】
なお、実施の形態２では、発光手段に紫外線を発生させる紫色発光ダイオードを用い、光触媒として紫外線応答型光触媒を用いたが、これに限ったものではなく、可視光線を発光させる発光手段を用い、光触媒として可視光線応答型光触媒を用いてもよいし、紫外線及び可視光線を発光させる発光手段を用い、光触媒として紫外線及び可視光線応答型光触媒を用いてもよい。
【００５９】
また、サイクロン集塵器の有無を検出する検出手段を、可動スイッチによる接触を伴う機械的な検出手段を用いたが、これに限るものではなく、例えば赤外線センサ等の光センサや磁気、音波等を用いる非接触型の検出手段を用いてもよい。
【００６０】
さらに、紫外線応答型光触媒としては、例えばアナターゼ型、ルチル型、ブルカイト型の結晶特性のものを用いてもよい。また可視光線応答型光触媒としては、酸素欠陥型のアナターゼ型酸化チタンやＴｉＯ２-ＸＮｘの化学式で示されるものを用いてもよい。
【００６１】
実施の形態３．
図１３は本発明の実施の形態３に係る電気掃除機のサイクロン集塵器の光透過部を示す断面図である。実施の形態３では、光透過部の形状の一例を示すものであり、その他の構成は実施の形態１または２と同じであるので、図示及び説明を省略する。なお、実施の形態３では、実施の形態２に示した光透過部の構成を用いて説明する。図において、５０はサイクロン集塵器のサイクロン集塵部３２ｂに設けられたレンズ形状の光透過部であり、光触媒塗料４６は塗布されず、サイクロン集塵器を掃除機本体に装着したとき、紫色発光ダイオード４４と対向する位置に配置されるように設けられている。実施の形態１に示した本体光源窓２０の形状をレンズ形状にしてもよい。
【００６２】
実施の形態３によれば、光透過部をレンズ形状に形成したので、光源の光が拡散され、サイクロン集塵器内面全体に照射されるため効率よく内面全体を照射でき、光触媒作用の効果を向上させることができる。
【００６３】
【発明の効果】
以上のように本発明によれば、サイクロン集塵器内面に照射する紫外線または可視光線を発生させる発光手段を設け、前記サイクロン集塵器の前記発光手段と対向する部分に紫外線または可視光線を通す光透過部を形成し、前記光透過部は、抗菌剤が塗布されている、または抗菌剤を練り込んだ樹脂で形成され、前記サイクロン集塵器の前記光透過部を除いた部分は光触媒を塗布したので、光によって光触媒作用が得られ、サイクロン集塵器の内面の抗菌、脱臭、超親水効果を得ることができるという効果がある。
【００６４】
サイクロン集塵器内面に照射する紫外線または可視光線を発生させる発光手段を設け、前記サイクロン集塵器の前記発光手段と対向する部分には紫外線または可視光線を通す光透過部を形成し、前記光透過部は、抗菌剤が塗布されている、または抗菌剤を練り込んだ樹脂で形成され、前記光透過部を除いた部分は光触媒が練り込まれた樹脂で形成されているので、光によって光触媒作用が得られ、サイクロン集塵器の内面の抗菌、脱臭、超親水効果を得ることができるという効果がある。
【００６５】
また、サイクロン集塵器内面に紫外線または可視光線を照射する発光手段を設け、前記サイクロン集塵器の前記発光手段と対向する部分に紫外線または可視光線を通す光透過部を形成し、前記光透過部は、抗菌剤が塗布されている、または抗菌剤を練り込んだ樹脂で形成され、前記光透過部を除いた部分は光触媒が練り込まれた樹脂で形成されるとともに、前記サイクロン集塵器の前記光透過部を除いた部分には光触媒が塗布されているので、光によって光触媒作用が得られ、サイクロン集塵器の内面の抗菌、脱臭、超親水効果をさらに向上させることができるという効果がある。
【００６６】
また、光触媒には、抗菌剤が含有されているので、さらに抗菌作用が向上させることができるという効果がある。
【００６７】
また、サイクロン集塵器は、掃除機本体に対して着脱可能に設けられ、前記ダイクロン集塵器の有無を検出する検出手段を備え、前記サイクロン集塵器が装着されていない場合は、前記発光手段を消灯させるように制御するので、光によって光触媒作用が得られ、サイクロン集塵器の内面の抗菌、脱臭、超親水効果を得られるだけでなく、取り外して水洗いすることができ、サイクロン集塵器全体、または光透過部を容易に、かつきれいに汚れを落すことができ、光触媒作用の低下を抑制することができるという効果がある。さらに、サイクロン集塵器を外した場合は検出手段によって発光手段は消灯するため、紫外線などが放射されず、周囲の人間の安全が確保されるとともに電力の消費が低減されるという効果がある。
【００６８】
また、サイクロン集塵器は、掃除機本体に対して着脱可能に設けられるとともに、前記掃除機本体に対して断熱材または間隙を介して装着されるので、サイクロン集塵器が例えば電動送風機の熱により温められて臭気を発生してしまうことを防止することができる。
【００６９】
また、光透過部の発光手段側をレンズ形状に湾曲させて形成したので、光源の光が拡散され、サイクロン集塵器内面全体に照射されるため効率よく内面全体を照射でき、光触媒作用の効果を向上させることができる。
【００７０】
また、光透過部は、抗菌剤が塗布されている、または抗菌剤を練り込んだ樹脂で形成されているので、抗菌作用がさらに向上することができるという効果がある。
【００７１】
【図面の簡単な説明】
【図１】  本発明の実施の形態１に係わるサイクロン集塵器を電気掃除機に搭載した形態を示す全体斜視図である。
【図２】  同、電気掃除機の掃除機本体を示す側面図である。
【図３】  同、電気掃除機に搭載したサイクロン集塵器を示す斜視図である。
【図４】  同、電気掃除機の掃除機本体を示す断面図である。
【図５】  同、電気掃除機の掃除機本体を示す断面図である。
【図６】  本発明の実施の形態２に係わるサイクロン集塵器を搭載した電気掃除機の掃除機本体を示す上面図である。
【図７】  同、電気掃除機の掃除機本体を示す側面図である。
【図８】  同、電気掃除機に搭載したサイクロン集塵器を示す斜視図である。
【図９】  同、電気掃除機の掃除機本体を示す横断面図である。
【図１０】  同、電気掃除機の掃除機本体を示す縦断面図である。
【図１１】  同、電気掃除機の掃除機本体を示す縦断面図である。
【図１２】  同、電気掃除機に搭載したサイクロン集塵器の光透過部を示す断面図である。
【図１３】  本発明の実施の形態３に係る電気掃除機のサイクロン集塵器の光透過部を示す断面図である。
【図１４】  従来のサイクロン集塵装置を示す縦断面図である。
【図１５】  従来の電気掃除機を示す断面図である。
【図１６】  図１５に示す電気掃除機の斜視図である。
【符号の説明】
１  掃除機本体、１ａ  凹部、２  サイクロン集塵器、３  ホース、
４  パイプ、５  吸込具、６  サイクロン旋回室、７  集塵室、８  フィルタ、
９  排気口、１０  サイクロン吸込口、１１  塵埃排出口、１２  電動送風機、
１３  本体排気口、１４  排気接続管、１５  フィルタ、１６  吸気接続管、
１７  集塵室設置部、１８  断熱材、１９  紫色発光ダイオード、
２０  本体光源窓、２１  検出スイッチ、２１ａ  検出部、２２  光触媒塗料、
２３  光透過部、３１  掃除機本体、３２  サイクロン集塵器、
３２ａ  サイクロン吸排気部、３２ｂ  サイクロン集塵部、３３  ホース、
３６  サイクロン吸気口、３７  サイクロン排気口、３８  電動送風機、
３９  本体排気口、４０  排気接続管、４１  フィルタ、４２  吸気接続管、
４３  凹部、４３ａ  間隙、４４  紫色発光ダイオード、４５  検出スイッチ、
４５ａ  検出部、４６  光触媒塗料、４７  光透過部、４８  シール材。
【図１】
0003822511.tif 000002
【図２】
0003822511.tif 000003
【図３】
0003822511.tif 000004
【図４】
0003822511.tif 000005
【図５】
0003822511.tif 000006
【図６】
0003822511.tif 000007
【図７】
0003822511.tif 000008
【図８】
0003822511.tif 000009
【図９】
0003822511.tif 000010
【図１０】
0003822511.tif 000011
【図１１】
0003822511.tif 000012
【図１２】
0003822511.tif 000013
【図１３】
0003822511.tif 000014
【図１４】
0003822511.tif 000015
【図１５】
0003822511.tif 000016
【図１６】
0003822511.tif 000017